(57)【要約】【課題】  農業用マルチフィルムに張力が作用して農業用マルチフィルムが裂けるなどの破損を防止して耐久性に優れた農業用マルチフィルムを提供することをその目的とする。【解決手段】  農業用マルチフィルム１に長手方向に沿って一定間隔毎に開口孔２を穿孔する。この各開口孔２間に位置して前記農業用マルチフィルム１を長手方向に沿って切り裂くための切断部３ａと非切断部３ｂとから成る引き裂き用ミシン目３を形成する。各開口孔２に隣接する切断部３ａの端部を開口孔２から離して形成する。これにより、被覆作業中や被覆期間中において、農業用マルチフィルム１に張力が作用して開口孔２から裂けることなく耐久性を維持でき、農業用マルチフィルム１を撤去する際、引き裂き用ミシン目３から引き裂いて容易に回収が可能となる。【選択図】      図２
2006014618.tif 000002
【特許請求の範囲】
【請求項１】
ポリエチレンフィルムから成る長尺な農業用マルチフィルムであって、この農業用マルチフィルムは、長手方向に沿って一定間隔毎に開口孔を穿孔するとともに、この各開口孔間に位置して前記農業用マルチフィルムを長手方向に沿って切り裂くための切断部と非切断部とから成る引き裂き用ミシン目を形成するとともに、前記切断部の端部を前記開口孔から離して形成したことを特徴とする農業用マルチフィルム。
【請求項２】
前記開口孔の径が１０〜１５０ｍｍ、好ましくは４５〜１２０ｍｍ、前記切断部の長さを５〜２０ｍｍ、好ましくは８〜１２ｍｍ、非切断部の長さを２４〜３６ｍｍ、好ましくは２８〜３２ｍｍとしたことを特徴とする請求項１記載の農業用マルチフィルム。
【請求項３】
前記切断部の端部を前記開口孔から１０〜２５ｍｍ離して形成したことを特徴とする請求項１又は２記載の農業用マルチフィルム。
【発明の詳細な説明】
【技術分野】
【０００１】
本発明は、農業用マルチフィルム、詳しくは、農業用マルチフィルムの取り外しを容易にした農業用マルチフィルムに関する。
【背景技術】
【０００２】
一般的に、たばこ、野菜、果実等の作物を栽培する際に、保温、保湿、雑草防止、アブラムシよけ、促成栽培、抑制栽培、地温抑制、雨による畝の流出防止等のために、畝に開口孔の設けられた農業用マルチフィルムをマルチャーにより、両端に土をかぶせながら被覆し、開口孔の位置に作物の苗を定植したり、は種することが行われている。このような農業用マルチフィルムは、例えば暖かくなって保温が不必要になった場合でも両端が土中に埋まっているために、回収する際に作物を傷めることなく農業用マルチフィルムを回収することが非常に困難である。そこで、農業用マルチフィルムを回収する際、農業用マルチフィルムを引き裂くためのミシン目を設けた農業用マルチフィルムとして特許文献１には、農業用マルチフィルムの長手方向に沿って一定間隔毎に作物植付用貫通孔を穿孔するとともに、この各作物植付用貫通孔の中心を通るように引き裂き用ミシン目を各作物植付用貫通孔と連続的に形成した農業用マルチフィルムが開示されている。
【０００３】
また、特許文献２には、作物植付用貫通孔と連続するフィルム切裂き用ミシン目を斜めに設けられたミシン目マルチシートが開示されている。
【特許文献１】特開２００２−１７１８４５号公報
【特許文献２】特開２００２−２７８４６号公報
【発明の開示】
【発明が解決しようとする課題】
【０００４】
上述した特許文献１、２では、図７で示すように農業用マルチフィルム１に引き裂き用ミシン目３が設けられているので、農業用マルチフィルム１を回収する際に簡単に引き裂き用ミシン目３部分に沿って農業用マルチフィルム１を簡単に引き裂くことができるから、農業用マルチフィルム１の土中の部分１ｂの回収も容易である。しかし、特許文献１、２に示す農業用マルチフィルム１は、単純に作物植付用貫通孔２の中心を通るように引き裂き用ミシン目３が各作物植付用貫通孔２と連続的に形成されているために、農業用マルチフィルム１の引き裂き用ミシン目３の切断部３ａが作物植付用貫通孔２に掛かって切断部３ａと作物植付用貫通孔２とが連続する場合がある。このため、例えば、トラクタに装備されたマルチャーなどによって機械的に被覆作業を行う場合、農業用マルチフィルム１に張りを持たせることから、図７ａで示すように農業用マルチフィルム１の引き裂き用ミシン目３の切断部が作物植付用貫通孔２と接している部分２ａに力が係り、図７ｂのように作物植付用貫通孔２から農業用マルチフィルム１が簡単に引き裂かれてしまう。また、さらに、収穫までの被覆期間中においても、雨や風などの自然現象の影響により風圧等によって農業用マルチフィルム１が捲れ上がり、同様に作物植付用貫通孔２から農業用マルチフィルム１が簡単に引き裂かれ、農業用マルチフィルムの破れや破損が生じ、農業用マルチフィルム１の強度低下を招くという課題を有している。
【０００５】
本発明は、上記問題に鑑みてなされたもので、マルチャーなどの機械での被覆作業中に農業用マルチフィルムを引っ張る力や、雨や風などによる自然の力の影響を受けて捲くれ上がることにも十分に耐えることができると共に、例えば暖かくなって保温が不必要になった場合、生育の途中でフィルムを撤去する時でも作物を傷めることなく、役目を終了した農業用マルチフィルムを作物残幹がある場合でも土中から容易に剥ぎ取り、回収することができる農業用マルチフィルムを提供することをその目的とする。
【課題を解決するための手段】
【０００６】
本発明の請求項１の農業用マルチフィルムは、ポリエチレンフィルムから成る長尺な農業用マルチフィルムであって、この農業用マルチフィルムは、長手方向に沿って一定間隔毎に開口孔を穿孔するとともに、この各開口孔間に位置して前記農業用マルチフィルムを長手方向に沿って切り裂くための切断部と非切断部とから成る引き裂き用ミシン目を形成するとともに、前記切断部の端部を前記開口孔から離して形成したことを特徴とする。
【０００７】
請求項１の構成によれば、長手方向に沿って一定間隔毎に開口孔が穿孔されているので、開口孔を手作業により穿孔する必要がなく、また、農業用マルチフィルムを長手方向に沿って切り裂くための引き裂き用ミシン目を形成するとともに、切断部の端部を前記開口孔から離して形成したことにより、農業用マルチフィルムに張力が作用しても開口孔部分から裂けること無く、農業用マルチフィルムの強度を維持できるとともに、農業用マルチフィルムを撤去する際、引き裂き用ミシン目部分を左右方向に引っ張ることによって簡単に引き裂くことができ、農業用マルチフィルムの回収が容易である。
【０００８】
本発明の請求項２の農業用マルチフィルムは、前記開口孔の径が１０〜１５０ｍｍ、好ましくは４５〜１２０ｍｍ、前記切断部の長さを５〜２０ｍｍ、好ましくは８〜１２ｍｍ、非切断部の長さを２４〜３６ｍｍ、好ましくは２８〜３２ｍｍとしたことを特徴とする。
【０００９】
請求項２の構成によれば、前記開口孔の径が１０〜１５０ｍｍ、好ましくは４５〜１２０ｍｍにしたことにより、農業用マルチフィルムの耐久性を保ちつつ様々な作物のサイズに対応でき、前記切断部の長さを５〜２０ｍｍ、好ましくは８〜１２ｍｍ、非切断部の長さを２４〜３６ｍｍ、好ましくは２８〜３２ｍｍとしたことにより、農業用マルチフィルムを回収する際に簡単に引き裂いて回収することが可能になる。
【００１０】
本発明の請求項３の農業用マルチフィルムは、前記切断部の端部を前記開口孔から１０〜２５ｍｍ離して形成したことを特徴とする。
【００１１】
請求項３の構成によれば、前記切断部の端部を前記開口孔から１０〜２５ｍｍ離して形成したことにより、マルチャーなどの機械による被覆作業中に農業用マルチフィルムを引っ張る力にも十分に耐え、被覆期間中に受ける雨や風などの自然現象の影響によって捲れ上がり、破れたりすることがなくなる。
【発明の効果】
【００１２】
請求項１の農業用マルチフィルムによれば、ポリエチレンフィルムから成る長尺な農業用マルチフィルムであって、この農業用マルチフィルムは、長手方向に沿って一定間隔毎に開口孔を穿孔するとともに、この各開口孔間に位置して前記農業用マルチフィルムを長手方向に沿って切り裂くための切断部と非切断部とから成るミシン目を形成するとともに、前記切断部の端部を前記開口孔から離して形成したことにより、マルチャーなどの機械による被覆作業の後に手作業により開口孔を穿孔する手間がかからない。また、開口孔から切断部の端部を離して形成することにより、マルチャーなどの機械による被覆作業中に農業用マルチフィルムを引っ張る力や、被覆期間中に受ける雨や風などの自然現象の影響にも十分に耐えて破れることがなく、農業用マルチフィルムを回収する際には、引き裂き用ミシン目に沿って簡単に引き裂いて回収することが可能になる。
【００１３】
請求項２の農業用マルチフィルムによれば、前記開口孔の径が１０〜１５０ｍｍ、好ましくは４５〜１２０ｍｍ、前記切断部の長さを５〜２０ｍｍ、好ましくは８〜１２ｍｍ、非切断部の長さを２４〜３６ｍｍ、好ましくは２８〜３２ｍｍとしたことにより、農業用マルチフィルムをマルチャーなどの機械により被覆する際や、被覆期間中の耐久性を保ちつつ様々な作物のサイズに対応でき、例えば暖かくなって保温が不必要になった場合、生育途中でフィルムを撤去する時でも作物を傷めることなく、また、収穫後、役目を終了した農業用マルチフィルムを回収する時、作物残幹などがあっても引き裂き用ミシン目に沿って容易に引き裂いて剥ぎ取れば、土中から効率良く回収することが可能となる。
【００１４】
請求項３の農業用マルチフィルムによれば、前記切断部の端部を前記開口孔から１０〜２５ｍｍ離して形成したことにより、マルチャーなどの機械により被覆する際に、農業用マルチフィルムに張りを持たせるために力を掛けて引っ張ったりしても、開口孔部分から農業用マルチフィルムが破断したりすることが無く、また、被覆期間中に雨や風などの自然現象の影響によって受ける力により捲くれ上がることにより破断して破れたりもせずに、耐久性を保ちつつ、暖かくなって保温が不必要になり役目を終了した農業用マルチフィルムを回収する際には、引き裂き用ミシン目に沿って容易に引き裂いて剥ぎ取り、土中から回収することが可能となる。
【発明を実施するための最良の形態】
【００１５】
以下添付図面を参酌しながら、本発明を実施するための最良の形態としての実施例を説明する。但し、以下に説明する実施例は、本発明を限定するためのものではなく、発明の技術的思想の範囲内での適宜な変更は可能なものであることは当然なことである。
【実施例１】
【００１６】
本発明の実施例１を図1乃至図３を参照しながら説明する。同図において、１は厚さが０．０１〜０．０５ｍｍのポリエチレンフィルムから成る長尺な農業用マルチフィルムである。この農業用マルチフィルム１は、長手方向に沿って円形の開口孔２が所定間隔毎に穿孔されるとともに、これら開口孔２の間に位置して前記農業用マルチフィルムを長手方向に沿って切り裂くための切断部３ａと非切断部３ｂから成る引き裂き用ミシン目３が農業用マルチフィルム１の長手方向に沿って形成されている。ここで、前記開口孔２は径ｘが１０〜１５０ｍｍ、好ましくは４５〜１２０ｍｍに設定されている。このような開口孔２は、例えば作物の苗を定植したり、は種する際に使用するものである。また、引き裂き用ミシン目３を構成する切断部３ａは、長さａが５〜２０ｍｍ、好ましくは８〜１２ｍｍ、非切断部３ｂは、長さｂが２４〜３６ｍｍ、好ましくは２８〜３２ｍｍに設定されるとともに、図２に示すように、前記開口孔２と隣接する切断部３ａにおいて、その開口孔２側の端部が前記開口孔２と１０〜２５ｍｍの間隔ｓを確保して農業用マルチフィルム１に形成している。
【００１７】
次に農業用マルチフィルム１の使用方法について説明する。農業用マルチフィルム１はロール状に巻かれており、被覆作業時において、ロール状に巻かれた農業用マルチフィルム１の一端１ａを土中に埋めることにより固定し、トラクタＡに装備されたマルチャーＢを使用して、畝を覆うとほぼ同時に、風などによって飛んだりしないように両端に重りとなる土Ｃを被せるようにしながら、農業用マルチフィルム１を畝に被覆する。この際に農業用マルチフィルム１は、マルチャーＢにより張りを持たせるために力を掛け、引っ張りながら被覆作業が行われるが、開口孔２と引き裂き用ミシン目３の切断部３ａの端部が接しておらず、前記開口孔２と引き裂き用ミシン目３の切断部３ａの端部の間隔ｓを１０〜２５ｍｍ離して形成することにより、マルチャーＢによって力を掛けて引っ張られても前記開口孔２と引き裂き用ミシン目３の切断部３ａが接していないので、その部分から裂けてしまったり破れたりすることが無い。
【００１８】
被覆作業終了後には、農業用マルチフィルム１には、予め径ｘが１０〜１５０ｍｍ、好ましくは４５〜１２０ｍｍの開口孔２を穿孔してあるので、新たに作物植付用の貫通孔を手作業により設ける必要が無いとともに、容易に開口孔２の位置に種々の作物Ｄの種苗を植えることができる。
【００１９】
一方、被覆期間中は、開口孔２と引き裂き用ミシン目３の切断部３ａとを１０〜２５ｍｍ離したことにより、風や雨などの自然現象の影響を受けてその部分から裂けてしまったり破れたりすることが無い。すなわち、開口孔２と引き裂き用ミシン目３の切断部３ａの端部との間隔ｓを設定するにあたり、間隔ｓの異なる種々の実験を行った結果、開口孔２と引き裂き用ミシン目３の切断部３ａの端部との間隔ｓが１０ｍｍ未満では、農業用マルチフィルム１の強度が極端に低下し、マルチャーＢを使用しての機械的な被覆に際し開口孔２部分からの破損が発生し、２５ｍｍより大きい際には、農業用マルチフィルム１をスムーズに引き裂くことが困難になるという結果が得られた。また、引き裂き用ミシン目３を構成する切断部３ａと非切断部３ｂとの比率を１対３とし、具体的には切断部３ａの長さａを５〜２０ｍｍ、好ましくは８〜１２ｍｍ、非切断部３ｂは、長さｂが２４〜３６ｍｍ、好ましくは２８〜３２ｍｍと設定することによって、マルチャーＢを使用しての機械的な被覆及び農業用マルチフィルム１を撤去するまでの間、農業用マルチフィルム１の破れや破損がなく、強度的に優れた耐久性が得られた。また、暖かくなって農業用マルチフィルム１による保温が不必要になり、役目を終了した農業用マルチフィルム１を回収する際、引き裂き用ミシン目３の切断部３ａの長さａを５〜２０ｍｍ、好ましくは８〜１２ｍｍ、非切断部３ｂの長さｂを２４〜３６ｍｍ、好ましくは２８〜３２ｍｍとしたことにより、図３で示すように農業用マルチフィルム１の引き裂き用ミシン目３から引っ張ることにより、引き裂き用ミシン目３に沿って容易に引き裂いて剥ぎ取り、土Ｃが覆いかぶさった土中にある農業用マルチフィルム１ｂの部分も容易に土中から回収することが可能となる。
【実施例２】
【００２０】
図４は本発明の実施例２を示したものであり、前記実施例１と同一部分には同一符号を付し、その詳細な説明を省略する。前記実施例１においては、開口孔２を円形のものを示したが、本実施例においては、開口孔１２を両端を半円形として長辺の長さｘを６０〜１５０ｍｍ、短辺の長さｙを４５〜１２０ｍｍの長孔としいる。この開口孔２の向きは図４（ａ）で示すように開口孔２の長辺を農業用マルチフィルム１の長手方向に沿って配置しても図４（ｂ）で示すように、農業用マルチフィルム１の長手方向に対して直交する方向に配置してもかまわない。
【００２１】
このように開口孔１２を長孔にしたことにより、開口孔１２の大きさが広くなり、作物Ｄを植えつける際にさらに容易に植えつけることができる。
【実施例３】
【００２２】
図５は本発明の実施例３を示すものであり、前記実施例１と同一部分には同一符号を付しその詳細な説明を省略する。本実施例においては、開口孔２２を一辺の長さｘを６０〜９０ｍｍの正方形を農業用マルチフィルム１の長手方向に沿って４５度傾けて農業用マルチフィルム１に穿孔している。このように、開口孔２２を正方形状に形成することにより、暖かくなって農業用マルチフィルム１による保温が不必要になり、役目を終了した農業用マルチフィルム１を回収する際に農業用マルチフィルム１を引き裂く際に農業用マルチフィルム１の長手方向に沿った開口孔２の正方形の角の部分から引き裂かれ始めることにより、さらに容易に農業用マルチフィルム１を引き裂いて土中より回収することができる。
【００２３】
以上のように、本発明の実施例においては、従来のように農業用マルチフィルム６に単純に開口孔２の中心を通るように農業用マルチフィルム６の引き裂き用ミシン目３を各開口孔２と連続的に形成せずに、農業用マルチフィルム１の開口孔２と引き裂き用ミシン目３の切断部３ａの端部とを離して形成することにより、引き裂き用ミシン目３の切断部３ａが開口孔２に接することがなくなることにより、トラクタＡに装備されたマルチャーＢによる被覆作業や、被覆期間中の雨や風などによる自然現象の影響によって受ける力にも十分に堪えることができると共に、被覆作業後には、開口孔２２が設けてあることにより新たに作物植付用の貫通孔を手作業により設ける必要が無く、作物Ｄの種苗を植えることができ、暖かくなって農業用マルチフィルム１による保温が不必要になり、役目を終了した農業用マルチフィルム１を回収する際には、引き裂き用ミシン目３に沿って農業用マルチフィルム１を引き裂いて剥ぎ取り、容易に土中にある農業用マルチフィルム１ｂの部分も回収することが可能になる。
【００２４】
以上、本発明の実施例について記述したが本発明は、前記実施例に限定されるものではなく、本発明の要旨の範囲内で種種の変更実施が可能である。本実施例では、農業用マルチフィルム１の長手方向に沿って一定間隔毎に開口孔２とミシン目３を１列しか形成していないが、２列以上も受けることも可能であるし、開口孔の形状も図６で示すような菱形の開口孔３２を形成することも可能であり、この場合も上述した効果を得ることができる。
【図面の簡単な説明】
【００２５】
【図１】本発明の実施例１を示す農業用マルチフィルムの被覆方法を示した斜視図である。
【図２】同上、正面図である。
【図３】同上、回収時の斜視図である。
【図４】本発明の実施例２を示す農業用マルチフィルムの正面図である。
【図５】本発明の実施例３を示す農業用マルチフィルムの正面図である。
【図６】本発明の他の実施例を示す農業用マルチフィルムの正面図である。
【図７】従来の農業用マルチフィルムの斜視図である。
【符号の説明】
【００２６】
１    農業用マルチフィルム
２，１２，２２，３２    開口孔
３    ミシン目
３ａ  切断部
３ｂ  非切断部
【図１】
2006014618.tif 000003
【図２】
2006014618.tif 000004
【図３】
2006014618.tif 000005
【図４】
2006014618.tif 000006
【図５】
2006014618.tif 000007
【図６】
2006014618.tif 000008
【図７】
2006014618.tif 000009